(57)【要約】【課題】限られたサニタリー空間内においては、要介護者の症状に応じて部屋の仕切りを変えて介護者が介助し易い空間を設けたり、着替えのための衣服や装飾品の一時保管或いは置き場の確保が容易としたり、洗面室とトイレ室との温度差がないように暖房して居住環境を良くしなければならないという課題がある。【解決手段】外壁５ａおよび／または間仕切り壁５ｂからなる壁部材５で周囲を囲まれた屋内空間内で洗面室２を挟んでその両側には行き来できる第１間仕切り部材６及び第２間仕切り部材７を介してトイレ室３及び浴室４がそれぞれ設けられ、前記洗面室４の外周囲を形成する前記壁部材５に出入口８が設けられてなるサニタリー空間１において、前記洗面室２とトイレ室３の境界に設けた第１間仕切り部材６は、前記壁部材５に着脱自在に固定される着脱間仕切戸６ａと該着脱間仕切戸６ａに対してスライド自在に且つ着脱自在に固定されてなる間仕切引戸６ｂとを具備してなることを特徴とするサニタリー空間。【選択図】図１
2018071118.tif 000002
【特許請求の範囲】
【請求項１】
外壁および／または間仕切り壁からなる壁部材で周囲を囲まれた屋内空間内で洗面室を挟んでその両側には行き来できる第１間仕切り部材及び第２間仕切り部材を介してトイレ室及び浴室がそれぞれ設けられ、前記洗面室の外周囲を形成する前記壁部材に出入口が設けられてなるサニタリー空間において、前記洗面室とトイレ室の境界に設けた第１間仕切り部材は、前記壁部材に着脱自在に固定される着脱間仕切戸と該着脱間仕切戸に対してスライド自在に且つ着脱自在に固定されてなる間仕切引戸とを具備してなることを特徴とするサニタリー空間。
【請求項２】
前記第１間仕切り部材と天井との間に隙間が形成され、前記洗面室に前記隙間を通して前記トイレ室に送風可能な冷暖房用空調機を設置することを特徴とする請求項１に記載のサニタリー空間。
【請求項３】
前記洗面室内に洗面カウンターよりも低い高さを有する移動自在なベンチ収納台を具備してなる請求項１又は２に記載のサニタリー空間。
【請求項４】
前記壁部材と前記着脱間仕切戸との着脱自在な固定は、壁部材と床面に固定した断面がコの字型の取付枠の凹部に前記着脱間仕切戸の端縁を着脱自在に差し込み固定したことを特徴とする請求項１記載のサニタリー空間。
【請求項５】
前記着脱間仕切戸に対する前記間仕切引戸のスライド自在で且つ着脱脱自在な固定は、前記着脱間仕切戸と前記間仕切引戸の合い向かう面に相互にスライドするスライド金具を介して行うことを特徴とする請求項１又は４に記載のサニタリー空間。
【発明の詳細な説明】
【技術分野】
【０００１】
この発明は、車いすを使用する人のための一般住宅などの居住空間内に設けるサニタリー空間に関する。
【背景技術】
【０００２】
一般住宅等で車いすを使用する人がいる場合には介護者が必要となるが、症状が軽度の場合と重度の場合とでは、その介助の仕方にも差があり、その症状の程度に応じた介助が必要である。そのためには、このような車いすを使用している人の行動を観察し、どんな動作ができ、どんな動作ができないのかを良く理解したうえで、例えば、車いすを使っての移動や作業のサポート、車いすからベッドや浴室・トイレに移る或いは戻る時のサポートをどのようにするかのことを考慮して、一般住宅等におけるサニタリー空間を設計することが望まれている。
上記のような設計思想を有するサニタリー空間として、特許文献１に開示のサニタリールームがある。このサニタリー空間は、仕切り部材によって人や車いすが行き来可能な洗面室とトイレ室とに区画されるサニタリールームであって、仕切り部材は下端部が床部との間及び上端部と天井の間にも隙間を開けて配置されると共に、前壁部の上下中途部に固定されてなるものである。
【先行技術文献】
【特許文献】
【０００３】
【特許文献１】特開２０１６−５３２８７号公報
【発明の概要】
【発明が解決しようとする課題】
【０００４】
しかしながら、前記特許文献１の発明においては、仕切り部材によって人や車いすが行き来可能な洗面室とトイレ室とに区画され、当該仕切り部材は下端部が床部との間及び上端部と天井の間にも隙間を開けて配置されると共に、サニタリールームの壁部の上下中途部に固定されてなるものであるので、洗面室とトイレ室の空気の循環は良くなり視覚が遮られてプライバシーが保たれるという利点があるものの、車いす使用者の症状が重くなって身体能力がさらに低下してきた場合には、介護者の介助行動のためにはより広いスペースが必要とされるが、当該仕切り部材が邪魔になって介護者の介助がし難くなるという問題点がある。又、限られた洗面室の空間内においては、着替えのための衣服や装飾品の一時保管或いは置き場の確保が難しいという問題点がある。更には、洗面室とトイレ室との温度差がないように暖房して居住環境を良くしなければならないという要望がある。
【課題を解決するための手段】
【０００５】
この発明は上記事情に鑑みてなされたものであって、その手段とするとするところは、
外壁および／または間仕切り壁からなる壁部材で周囲を囲まれた屋内空間内で洗面室を挟んでその両側には行き来できる第１間仕切り部材及び第２間仕切り部材を介してトイレ室及び浴室がそれぞれ設けられ、前記洗面室の外周囲を形成する前記壁部材に出入口が設けられてなるサニタリー空間において、前記洗面室とトイレ室の境界に設けた第１間仕切り部材は、前記壁部材に着脱自在に固定される着脱間仕切戸と該着脱間仕切戸に対してスライド自在に且つ着脱自在に固定されてなる間仕切引戸とを具備してなるサニタリー空間としたところにある。
【０００６】
また、前記第１間仕切り部材と天井との間に隙間が形成され、前記洗面室に前記隙間を通して前記トイレ室に送風可能な冷暖房用空調機を設置するサニタリー空間としたことにある。
【０００７】
更に、前記洗面室内に洗面カウンターよりも低い高さを有する移動自在なベンチ収納台を具備してなるサニタリー空間としたことにある。
【０００８】
前記壁部材と前記着脱間仕切戸との着脱自在な固定は、壁部材と床面に固定した断面がコの字型のレールの凹部に前記着脱間仕切戸の端縁を着脱自在に差し込み固定したことにある。
【０００９】
前記着脱間仕切戸に対する前記間仕切引戸のスライド自在で且つ着脱脱自在な固定は、前記着脱間仕切戸と前記間仕切引戸の合い向かう面に相互にスライドするスライド金具を介して行うことにある
【発明の効果】
【００１０】
前記洗面室とトイレ室の境界に設けた第１間仕切り部材は、壁部材に着脱自在に固定される着脱間仕切戸と、該着脱仕切り部材に対してスライド自在に且つ着脱自在に固定されてなる間仕切引戸とを具備しているので、症状が軽度で立位可能車いすの場合には、間仕切引戸をスライドさせて、間仕切引戸の幅分の開口部を設けることで、その空間から車いすを通過させてトイレ室の便器に近接し乗り移ることで用を足すことができる。この場合、少なくとも着脱間仕切戸の幅分だけは洗面室側からの視界を遮っているので、便器使用者のプライバシーを保つことができる。トイレ室を車いすの全部が入ることができるスペースを設けた場合には、間仕切引戸をスライドさせて開口部を閉めればより安心できる。症状が重い全介護車いすの場合には、便器に座るために介護者による介助が必要であるので、間仕切引戸を着脱間仕切戸から外してから着脱間仕切戸を壁部材から外すことによって、トイレ室と洗面室の境界に仕切りがなくなり、その結果介護者の行動範囲が洗面室側まで拡大されて動きやすくなり、良好な介助作業を行うことができる。このように、この発明のサニタニー空間によれば、車いす使用者の症状の軽重いずれの場合であっても、使い易いトイレ室の空間を得ることができる。
【００１１】
また、前記第１間仕切り部材と天井との間に隙間が形成されて、前記洗面室に前記隙間を通して前記トイレ室に送風可能な冷暖房空調機を設置したサニタリー空間とした時には、冷暖房空調機が一台で双方の部屋を同時冷暖房等の空調ができる利点があることに加えて、冷暖房空調機からの同じ温度の空気がトイレ室と洗面室の両方に供給されるため、両室における温度差がなくなり、良好な居住環境を得ることができる。
【００１２】
前記洗面室内に洗面カウンターよりも低い高さを有する移動自在なベンチ収納台を具備していれば、ベンチ収納台の一部を洗面カウンターの下に潜らせることができるので、スペースを有効利用できる。また、このベンチ収納台は、要介護者又は介護者が座ることができるので、休息に利用できる洗面室を得られる。さらに、引出しや棚を設けることができるので、小物が散らばずに整理整頓できる。そして、介護者の介助作業に邪魔になる時には移動させることでスペースの有効利用を図ることができる。
【００１３】
前記壁部材は構造部材と固定されているので、この壁部材と床面に断面がコの字型のレールを介してその凹部に前記着脱間仕切り部材の端部を入れて着脱自在に固定したので、強固に固定できると共に着脱も容易である。  
【００１４】
前記着脱間仕切戸と前記間仕切引戸の合い向かう面にスライド金具を介して、前記間仕切引戸が開口部を開閉できるようにしたので、スムーズにスライドし、しかも着脱間仕切と間仕切引戸との着脱も容易である。
【図面の簡単な説明】
【００１５】
【図１】この発明の実施形態のサニタリー空間の要部の斜視説明図。
【図２】同平面図。
【図３】洗面室とトイレ室の正面図。
【図４】トイレ室の内側からの側面図。
【図５】第１間仕切り材の斜視説明図。
【図６】図５のＬ−Ｌ線断面説明図。
【図７】立位可能車いすの場合の使用説明図。
【図８】全介護車いすの場合の使用説明図。
【発明を実施するための形態】
【００１６】
この発明の実施形態について、図に基づいて説明する。この発明のサニタリー空間１は、図１、図２によく示されているように、洗面室２、トイレ室３及び浴室４を合わせた空間をいい、このサニタリー空間１は、住宅などの居住空間内に、室内と外部の間を区切る外壁５ａや室内の部屋を区分けする間仕切り壁５ｂなどからなる壁部材５によって周囲を囲まれて形成されている。壁部材５が外壁５ａのみからなる場合には、サニタリー空間１のみが入る住居であり、間仕切り壁５ｂのみの場合には住居の内部に設けられる場合である。しかし、一般には、図２に示されるように、平面視で矩形状の住居のコーナー部に設けられるので、外壁５ａと間仕切り壁５ｂが混在した壁部材５の矩形状のサニタリー空間１を形成している。
【００１７】
前記洗面室２を挟んでその両側には、前記トイレ室３と前記浴室４が配置されており、それぞれの部屋の境界には行き来でき且つ目視を遮られる開閉自在な第１間仕切り部材６と第２間仕切り部材７が設けられている。
【００１８】
前記洗面室２の外周囲の一部を形成する壁部材５の内、外壁５ａと面する居住空間側の間仕切り壁５ｂには居住内側からこの洗面室２に出入り即ちサニタリー空間１内に出入りすることが出来る出入口８が設けられている。この出入口８には、図２では開放状態になっているが、目視を遮るカーテンや冷暖房効果を逃がさないための開閉扉など必要に応じて設けても良い。出入口８の真正面には、洗面室２の外周囲の一部を形成する外壁５ａに密着して洗面カウンター９が設置されている。この洗面カウンター９とトイレ室３の間の外壁５ａには縦方向に長い窓２ｂが設けられている。更に、前記トイレ室３と向い合う室内壁２ａの上方には噴出口がトイレ室３側に向いて冷温風が洗面室２の上方を通ってトイレ室３に効率よく吹き込めることが出来る冷暖房空調機Ｐが設置されていて、洗面室２と共にトイレ室３の室内温度等の空気調整を効率的に行えるようにしている。
【００１９】
前記洗面カウンター９には、水道の蛇口９ａ、流し９ｂ、物品の載置面９ｃなどを具備している。この洗面カウンター９の高さは、立位と車いすの要介護者両方に使い勝手のよい高さが選択されている。又、載置面９ｃは水が浸み込み難い表面加工した集成材を用いて落ち着いた色彩としている。この洗面カウンター９の前方上方には表面が鏡加工された３面鏡開閉扉付きの鏡収納庫１０が壁部材５に固定して設けられている。更にこの鏡収納庫１０の上方には照明灯１１が設置されている。
【００２０】
又、洗面室２には、前記洗面カウンター９とトイレ室３との境界に設けている第１間仕切り部材６との間には人が入ることが出来る程度の空間が設けられていて、その空間内の洗面室２の床面Ｆ上にベンチ収納台１２が置かれている。このベンチ収納台１２には、図１、図３に良く現れているように、日用雑貨或いは洗面用具や着替えなどの小物入れ用の引出し１２ａや小棚１２ｂなどが設けられている。上面１２ｃは、腰かけて脱着衣時の行為をサポートできる高さ位置で、且つ、前記洗面カウンター９の下方よりも低い位置として、不使用時には洗面カウンター９の下方へ全部又は一部を収納し、使用時には一部又は全部を引き出してその上面１２ｃを利用すれば、邪魔になることもなく有効に利用できるようにしている。上面９ｃには要介護者、介護者が座って心地良いようにするためにクッション性を待たせても良い。材質は家具的使用であるから、木質系が好ましい。頻繁に移動して用いる場合には小車輪を付けても良い。
【００２１】
前記トイレ室３は、洗面室２に隣接し前記トイレ室３との境界が開閉自在な第１間仕切り部材６で仕切られた空間で、一端部側には便器３ａが設けられ、外壁５ａ側には背面カウンター３ｂが外壁５ａに密着して設けられ、第１間仕切り部材６に対向する面の間仕切り壁５ｂには、前記背面カウンター３ｂより少し低い位置で長手方向に沿って物置台として或いは装飾用として利用できる袖カウンター３ｃが設けられている。又、袖カウンター３ｃの延長先の上方には便器３ａの使用者のために縦方向に延びる手摺３ｄが設けられ、更にその先のコーナーには手洗い３ｅが設けられ、前記外壁５ａと対向する間仕切り壁５ｂには別の横方向の手摺３ｆが設けられるなど要介護者の使用し易さと安全を図っている。更に、図１に示すように、天井にはＬＥＤ照明とセンサーが付いたイオン発生機３ｇが設けられ、センサーがトイレの悪臭を感知した時スイッチが入り、発生したイオンによって匂いを消臭できるようにしている。
【００２２】
前記第１間仕切り部材６は、図５、図６に良く現れているように、壁部材５である外壁５ａに着脱自在に固定される着脱間仕切戸６ａと、この着脱間仕切戸６ａに着脱自在に固定されると共に境界の床面の床レール６ｆに沿ってスライド自在に固定されているアウトドア引戸である間仕切引戸６ｂの２つの同じ形状の戸材からなり、この２つの間仕切戸６ａ，６ｂによって洗面室２とトイレ室３を仕切っている。
【００２３】
前記着脱間仕切戸６ａは、外壁３ａと床面Ｆに固定された断面が凹部となっているＬ字型形状の取付枠６ｃに一方の側縁と下側縁が嵌め込まれてねじ等で着脱自在に固定されている。又、他方の側縁には固定枠６ｄによって、床面Ｆと天井にねじ等で着脱自在に固定される支持柱６ｅが取付けされている。そしてこの着脱間仕切戸６ａと平行に床Ｆに敷設された床レール６ｆ上を滑る前記間仕切引戸６ｂが着脱仕切戸６ａにスライド金具６ｇを介して連結されている。又、着脱間仕切戸６ａと間仕切引戸６ｂと天井との間には隙間Ｘが設けられて、洗面室２とトイレ室３の空間が室の上方で繋がっている。
【００２４】
着脱間仕切戸６ａと間仕切引戸６ｂの横幅は共に同じであるので、トイレ室３への出入りは、壁部材５に固定されている着脱間仕切戸６ａ側へ間仕切引戸６ｂがスライド移動した際に開いた着脱間仕切戸６ｂの幅の長さ分の空間であるが、この長さは少なくとも車いすが通行できる幅としている。前記トイレ室３の便器３ａは、着脱間仕切戸６ａの傍に配置されていて洗面室２側から見えにくくし、且つ、間仕切引戸６ｂが外壁５ａに密着する開放位置に移動したときに生じる空間内に車いすＣが便器３ａの前方に接近し易くして、車いすからの移乗が容易になるようにしている。さらに、この移乗がし易いように、間仕切引戸６ｂが開放位置に移動した時に、図７に示すように、間仕切引戸６ｂの先端が便器３ａの先端より距離αだけ外壁５ａ側へ短くなるようにしている。
【００２５】
前記浴室４は、２つの外壁５ａ、５ａによって形成されたコーナーにバスユニット４ａが配置され、隣接して外壁５ａに手摺４ｂが取付けられている。更に、前記第２間仕切部材７を設けた浴室４の出入口からバスユニット４ａの側方までは、車いすＣが入れる広目の洗い場４ｃとなっている。そしてこの洗い場４ｃの外壁５ａ側には、車いすＣの要介護者を吊り上げてバスユニット４ａ内へ出し入れする介助リフト４ｄ、シャワー４ｅ、先止めシャワー水栓４ｆなどが設けられている。又、洗い場４ｃに面する間仕切壁５ｂには、住居内の浴室４外から浴室４内部の灯りを見ることが出来る窓４ｇが設けられている。
【００２６】
前記浴室４と洗面室２との境界に設けられた第２間仕切部材７は、２つの同じ形状の引戸７ａ、７ｂからなっており、これら２つの引戸７ａ，７ｂを閉方向に移動させると洗面室２と浴室４とが区切られ、又、車いすＣ、介護器具、その他の部材を通過させる必要がある場合には、洗面室２と浴室４の間に形成した戸袋７ｃに収納すれば、最大２つの引戸７ａ，７ｂの合計の横幅分の長さ分を通行可能としている。
【００２７】
上記構成からなるこのサニタリー空間１の利用につて説明する。まず、車いすＣに乗った要介護者Ａが立位できる軽い症状の場合には、室内側から出入口８を通って洗面室２に入ってから、要便をする場合には、間仕切引戸６ｂを引いて開けて車いすＣを、図７に示すように、空いた空間からトイレ室３の便器３ａの前方に移動して、便器３ａに移乗する。この時、必要があれば車いすＣを外へ移動させてから手を伸ばして間仕切引戸６ｂを閉めることが出来る。終えた後は逆の操作で洗面室２へ出ることが出来る。
【００２８】
要介護者Ａが全介護を要する重い症状の場合には、まず、ベンチ収納台１２を空いた場所に移動させてから、間仕切引戸６ｂを着脱間仕切戸６ａから取外し、次に着脱間仕切戸６ａを外壁５ａから取り外す。この取外し作業は、固定枠６ｄを外してから支持柱６ｅを取外し、取付枠６cから着脱間仕切戸６ｂを取り外す。この作業によって、図８に示すように、便器３ａの側方に介護者Ｂの介助作業空間Ｓが取れることになる。このような準備を予め行っておいてから、要介護者Ａを乗せた車いすＣを便器３ａの前方向へ押して行き介助しながら便器３ａに座らせる。この時、空間Ｓが確保されているために介護者Ｂは容易に作業ができる。又、介助に必要な物は傍の奥カウンター３ｂや袖カウンター３ｃの上面に置くことが出来るので、作業能率は向上する。用が済んだ後は、前記とは逆の順序で第１間仕切り部材６を元に戻せばよいし、状況に応じてそのままにしておいてもよいのは勿論である。
【００２９】
要介護者Ａを入浴させる場合には、車いすＣのままの状態で第２間仕切り材７の一方の引戸７ａを開けてから洗い場４ｃに入って、必要に応じて介助リフト４ｄ、シャワー４ｃ、先止めシャワー水栓４ｆなどを用いて要介護者Ａの症状に応じた介助をすることが出来る。又、窓４ｇによって室内側から要介護者Ａの様子を必要に応じて観察することが出来る。
【００３０】
前記のように要介護者Ａがトイレ室３に居る状態の時に、冷暖房用空調機Ｐを作動しておくと、図１の点線で示すように、ここから吐出した冷暖温の空気の一部は洗面室２の上方を通って第１間仕切り材６と天井との隙間Ｘを通過してトイレ室３に流れ込むので、要介護者Ａ或いは介護者Ｂは洗面室２おける同じ温度条件で過ごせるため、環境変化の違和感が生じない。又、第２仕切り部材７の引戸７ａが開いている場合には、吐出空気の他の一部は洗面室２から浴室４内へも入り込むので、結局のところ冷暖房用空調機Ｐが作動するとサニタリー空間１全体が早い段階で同じ温度や湿度などの環境を得ることが出来る。
【産業上の利用可能性】
【００３１】
この発明のサニタリー空間は、要介護者のいる家庭や諸施設において有効に利用でき、これからの高齢者化社会に必須のものとなると期待できる。
【符号の説明】
【００３２】
１  サニタリー空間
２  洗面室
３  トイレ室
４  浴室
５  壁部材
６  第１仕切り部材
７  第２仕切り部材
８  出入口
９  洗面カウンター
１２  ベンチ収納台
Ａ  要介護者
Ｂ  介護者
Ｃ  車いす
Ｘ  隙間
【図１】
2018071118.tif 000003
【図２】
2018071118.tif 000004
【図３】
2018071118.tif 000005
【図４】
2018071118.tif 000006
【図５】
2018071118.tif 000007
【図６】
2018071118.tif 000008
【図７】
2018071118.tif 000009
【図８】
2018071118.tif 000010
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
外壁および／または間仕切り壁からなる壁部材で周囲を囲まれた屋内空間内で洗面室を挟んでその両側には行き来できる第１間仕切り部材及び第２間仕切り部材を介してトイレ室及び浴室がそれぞれ設けられ、前記洗面室の外周囲を形成する前記壁部材に出入口が設けられてなるサニタリー空間において、前記洗面室とトイレ室の境界に設けた第１間仕切り部材は、前記壁部材に着脱自在に固定される着脱間仕切戸と該着脱間仕切戸に対してスライド自在に且つ着脱自在に固定されてなる間仕切引戸とを具備しており、
前記トイレ室の便器の背後に設けられた背面カウンター及び前記洗面室に設けられた洗面カウンターは、同一の前記壁部材に設置しており、
前記トイレ室と前記洗面カウンターとの間には、前記洗面カウンターよりも低い高さを有する移動自在なベンチ収納台を設置し、
前記第１間仕切り部材を取り外すとともに前記ベンチ収納台を移動させると、前記トイレ室と前記洗面カウンターとの間に人の入ることができる空間が形成されることを特徴とするサニタリー空間。
【請求項２】
前記第１間仕切り部材と天井との間に隙間が形成され、前記洗面室に前記隙間を通して前記トイレ室に送風可能な冷暖房用空調機を設置することを特徴とする請求項１に記載のサニタリー空間。
【請求項３】
前記壁部材と前記着脱間仕切戸との着脱自在な固定は、壁部材と床面に固定した断面がコの字型の取付枠の凹部に前記着脱間仕切戸の端縁を着脱自在に差し込み固定したことを特徴とする請求項１記載のサニタリー空間。
【請求項４】
前記着脱間仕切戸に対する前記間仕切引戸のスライド自在で且つ着脱自在な固定は、前記着脱間仕切戸と前記間仕切引戸の合い向かう面に相互にスライドするスライド金具を介して行うことを特徴とする請求項１又は３に記載のサニタリー空間。
【手続補正２】
【補正対象書類名】明細書
【補正対象項目名】０００５
【補正方法】変更
【補正の内容】
【０００５】
この発明は上記事情に鑑みてなされたものであって、その手段とするとするところは、外壁および／または間仕切り壁からなる壁部材で周囲を囲まれた屋内空間内で洗面室を挟んでその両側には行き来できる第１間仕切り部材及び第２間仕切り部材を介してトイレ室及び浴室がそれぞれ設けられ、前記洗面室の外周囲を形成する前記壁部材に出入口が設けられてなるサニタリー空間において、前記洗面室とトイレ室の境界に設けた第１間仕切り部材は、前記壁部材に着脱自在に固定される着脱間仕切戸と該着脱間仕切戸に対してスライド自在に且つ着脱自在に固定されてなる間仕切引戸とを具備しており、前記トイレ室の便器の背後に設けられた背面カウンター及び前記洗面室に設けられた洗面カウンターは、同一の前記壁部材に設置しており、前記トイレ室と前記洗面カウンターとの間には、前記洗面カウンターよりも低い高さを有する移動自在なベンチ収納台を設置し、前記第１間仕切り部材を取り外すとともに前記ベンチ収納台を移動させると、前記トイレ室と前記洗面カウンターとの間に人の入ることができる空間が形成されることを特徴とするサニタリー空間。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
前記着脱間仕切戸に対する前記間仕切引戸のスライド自在で且つ着脱自在な固定は、前記着脱間仕切戸と前記間仕切引戸の合い向かう面に相互にスライドするスライド金具を介して行うことにある。